【手続補正書】
【提出日】平成19年12月20日(2007.12.20)
【手続補正１】
【補正対象書類名】明細書
【補正対象項目名】特許請求の範囲
【補正方法】変更
【補正の内容】
【特許請求の範囲】  
【請求項１】  無線周波数ビームの偏波を反射し、かつ変化させるための表面であって、
（ａ）グランドプレーンと、
（ｂ）少なくとも１つのアレイ状に配置され、前記グランドプレーンから離隔された複数の導電性エレメントであって、前記少なくとも１つのアレイが前記無線周波数ビームの波長より短い距離で離隔され、前記少なくとも１つのアレイがそれに付随する２つの主軸を有するところの導電性エレメントとを備え、
（ｃ）前記複数の導電性エレメントが前記２つの主軸において異なるシートキャパシタンスを備えて配列される
ところの表面。
【請求項２】  第１および第２の主表面を有する基板をさらに含み、前記基板がその前記第１の主表面上に前記複数の導電性エレメントのうちの少なくとも選択されたものを支持し、そして、その前記第２の主表面上に前記グランドプレーンを支持する、請求項１に記載の表面。
【請求項３】  前記複数の導電性エレメントのうちの少なくとも選択されたものが、前記基板を通る径路を有する導体によって前記グランドプレーンに接続されており、そして／または、
前記複数の導電性エレメントの各々が、前記無線周波数ビームの波長より短い外側寸法を有しており、そして／または、
前記基板が、前記無線周波数ビームの波長の１／１０より小さい厚さｔを有しており、そして／または、
前記表面が、前記無線周波数ビームの偏波を円形から直線形におよび／または直線形から円形に変えるための偏波変換反射表面であり、前記複数の導電性エレメントが、前記２つの主軸のうちの第１の１つで反射位相が−π／２と＋π／２との間に入る周波数の範囲に対応する第１の帯域幅と、前記２つの主軸のうちの第２の１つで反射位相が−π／２と＋π／２との間に入る周波数の範囲に対応する第２の帯域幅とを有し、第１および第２の帯域幅が部分的にオーバーラップしており、そして／または、
前記第１及び第２の帯域幅の一方が前記第１及び第２の帯域幅の他方のより高い周波数を含み、前記一方の帯域幅の下側半分が前記他方の帯域幅の上側半分と一致しており、そして／または、
前記基板がプリント回路基板である、
請求項２に記載の表面。
【請求項４】  第２の基板をさらに含み、最初に述べた基板が前記導電性エレメントの第１のアレイを支持し、第２の基板が前記導電性複数エレメントの第２のアレイを支持し、第１および第２のアレイの導電性エレメントが少なくとも部分的に互いに重なっており、そして／または、
前記表面が、前記無線周波数ビームの偏波を円形から直線形におよび／または直線形から円形に変えるための偏波変換反射表面であり、上部プレートが、前記２つの主軸のうちの第１の１つで反射位相が−π／２と＋π／２との間に入る周波数の範囲に対応する第１の帯域幅と、前記２つの主軸のうちの第２の１つで反射位相が−π／２と＋π／２との間に入る周波数の範囲に対応する第２の帯域幅とを有し、第１および第２の帯域幅が部分的にオーバーラップする、請求項２に記載の表面。
【請求項５】  無線周波数の複数の波を反射するための偏波変換表面であって、
（ａ）グランドプレーンと、
（ｂ）前記グランドプレーンから離隔された少なくとも１つのアレイ状に配置された複数の導電性エレメントとを含み、前記導電性エレメントの前記少なくとも１つのアレイがそれらに付随して少なくとも２つの主軸を有し、前記グランドプレーンとの組み合わせで前記導電性エレメントが前記少なくとも２つの主軸のうちの第１の１つで第１の反射位相が−π／２と＋π／２との間に入る周波数の第１の範囲に対応する第１の帯域幅と、前記少なくとも２つの主軸のうちの第２の１つで第２の反射位相が−π／２と＋π／２との間に入る周波数の第２の範囲に対応する第２の帯域幅とを有し、第１および第２の帯域幅が部分的にオーバーラップする偏波変換表面。
【請求項６】  前記第１及び第２の帯域幅の一方が前記第１及び第２の帯域幅の他方のより高い周波数を含み、前記一方の帯域幅の下側帯域が前記他方の帯域幅の上側帯域とオーバーラップしており、そして／または、
一方の主表面上に前記グランドプレーンを支持し、他方の主表面上に前記複数のエレメントの少なくとも選択されたものを支持するため基板をさらに含み、そして／または、
前記複数の導電性エレメントの前記少なくとも選択されたものが前記基板を通る径路有する導体によって前記グランドプレーンに接続されており、そして／または、
前記複数の導電性エレメントの大半が前記基板の導体によって前記グランドプレーンに接続されており、そして／または、
前記複数のエレメントの各々が、前記無線周波数の波の波長より短い外側寸法を有しており、そして／または、
前記基板が、前記無線周波数の波の波長の１／１０より小さい厚さｔを有しており、そして／または、
前記複数のエレメントが平面アレイ状に配列される、
請求項５に記載の偏波変換表面。
【請求項７】  無線周波数信号について高インピーダンス表面を調整する方法であって、
実質的に離隔された複数の導電性エレメントを、導電性の背面から離隔され、かつ実質的に平行に配置された少なくとも１つのアレイ状に配列する工程であって、各導電性エレメントのその主軸に沿った大きさが無線周波数信号の波長より短く、かつ各導電性表面の前記背面からの間隔が無線周波数信号の波長より短く、前記アレイが少なくとも２つの主軸を有するところの工程と、そして、
アレイ内のその２つの主軸で隣り合う導電性表面間のキャパシタンスを変化させ、それにより前記２つの主軸で異なる共振周波数を有し、かつ２つの主軸で異なる通過帯域を有するように前記高インピーダンス表面のインピーダンスを調整する工程であって、２つの異なる通過帯域が互いに部分的にオーバーラップするところの工程と
を含む方法。
【請求項８】  実質的に離隔された前記複数の導電性エレメントが基板上に配列されており、そして／または、
前記基板が平面基板であり、そして／または、
実質的に離隔された前記複数の導電性エレメントが複数の基板上に配列され、前記複数の基板の各々の基板が前記複数の導電性エレメントの異なるアレイを担持しており、そして／または、
前記複数の基板が複数の平面基板である
請求項７に記載の方法。
【請求項９】  無線周波数を反射するための表面であって、
（ａ）グランドプレーンと、
（ｂ）前記グランドプレーンから離隔されてアレイ状に配置された複数の導電性エレメントであって、前記少なくとも１つのアレイがそこに付随する２つの主軸を有するところの導電性エレメントとを有し、
（ｃ）前記グランドプレーンとの組み合わせで、前記導電性エレメントが前記２つの主軸でゼロ位相の反射位相に付随する異なった周波数を有する表面。
【請求項１０】  第１および第２の主表面を有する基板をさらに含み、前記基板がその前記第１の主表面上に前記複数エレメントのうちの少なくとも選択されたものを支持し、その第２の主表面上に前記グランドプレーンを支持する、請求項９に記載の表面。
【請求項１１】  前記複数の導電性エレメントのうちの少なくとも選択されたものが、前記基板を通る径路有する導体によって前記グランドプレーンに接続されており、そして／または、
前記基板がプリント回路基板絶縁体であり、そして／または、
前記複数の導電性エレメントの各々が、前記無線周波数ビームの波長より短い外側寸法を有しており、そして／または、
前記基板が前記無線周波数ビームの波長の１／１０より小さい厚さｔを有しており、そして／または、
前記表面が前記無線周波数ビームの偏波を円形から直線形におよび／または直線形から円形に変えるための偏波変換反射表面であり、上部プレートが、前記２つの主軸の第１の１つで反射位相が−π／２と＋π／２との間に入る周波数の範囲に対応する第１の帯域幅と、前記２つの主軸の第２の１つで反射位相が−π／２と＋π／２との間に入る周波数の範囲に対応する第２の帯域幅とを有し、第１および第２の帯域幅が部分的にオーバーラップしており、そして／または、
前記第１及び第２の帯域幅の一方が前記第１及び第２の帯域幅の他方のより高い周波数を含み、前記一方の帯域幅の下側半分が前記他方の帯域幅の上側半分と一致する
請求項１０に記載の表面。
【請求項１２】  無線周波数ビームの偏波を変化させるための方法であって、
（ａ）グランドプレーンと、
（ｂ）前記グランドプレーンと平行な少なくとも１つのアレイ状に配置され、前記グランドプレーンから離隔された複数の導電性エレメントであって、前記少なくとも１つのアレイが前記無線周波数ビームの波長より短い距離で前記グランドプレーンから離隔され、前記少なくとも１つのアレイがそれに付随する２つの主軸を有するところの導電性エレメントとを備え、
（ｃ）前記複数の導電性エレメントが前記２つの主軸において異なるシートキャパシタンスを備えて配列される
ところの表面
を設ける工程と、
無線周波数ビームを前記表面から反射させる工程と
を含む方法。
【請求項１３】  前記表面が、第１および第２の主表面を有する基板をさらに含み、前記基板がその前記第１の主表面上に前記少なくとも１つのアレイを支持し、そして、その前記第２の主表面上に前記グランドプレーンを支持する、請求項１２に記載の方法。
【請求項１４】  前記複数の導電性エレメントのうちの少なくとも選択されたものが、前記基板を通る径路を有する導体によって前記グランドプレーンに接続されており、そして／または、
前記複数の導電性エレメントの各々が、前記無線周波数ビームの波長より短い外側寸法を有しており、そして／または、
前記基板が、前記無線周波数ビームの波長の１／１０より小さい厚さｔを有しており、そして／または、
前記表面が、前記無線周波数ビームの偏波を円形から直線形におよび／または直線形から円形に変えるための偏波変換反射表面であり、上部プレートが、前記２つの主軸のうちの第１の１つで反射位相が−π／２と＋π／２との間に入る周波数の範囲に対応する第１の帯域幅と、前記２つの主軸のうちの第２の１つで反射位相が−π／２と＋π／２との間に入る周波数の範囲に対応する第２の帯域幅とを有し、第１および第２の帯域幅が部分的にオーバーラップしており、そして／または、
前記第１及び第２の帯域幅の一方が前記第１及び第２の帯域幅の他方のより高い周波数を含み、前記一方の帯域幅の下側半分が前記他方の帯域幅の上側半分と一致しており、そして／または、
前記基板がプリント回路基板絶縁体である、
請求項１３に記載の方法。
【請求項１５】  第２の基板をさらに含み、最初に述べた基板が前記導電性エレメントの第１のアレイを支持し、第２の基板が前記導電性複数エレメントの第２のアレイを支持し、第１および第２のアレイの導電性エレメントが少なくとも部分的に互いに重なっており、そして／または、
前記表面が、前記無線周波数ビームの偏波を円形から直線形におよび／または直線形から円形に変えるための偏波変換反射表面であり、上部プレートが、前記２つの主軸のうちの第１の１つで反射位相が−π／２と＋π／２との間に入る周波数の範囲に対応する第１の帯域幅と、前記２つの主軸のうちの第２の１つで反射位相が−π／２と＋π／２との間に入る周波数の範囲に対応する第２の帯域幅とを有し、第１および第２の帯域幅が部分的にオーバーラップする、請求項１３に記載の方法。
【請求項１６】  無線周波数ビームを反射し、そして、反射した無線周波数ビームの偏波を変化させるための表面であって、
（ａ）グランドプレーンと、
（ｂ）前記グランドプレーンから隔離され、これと平行に配置される少なくとも１つのアレイ状に配置された複数の導電性エレメントであって、前記少なくとも１つのアレイがそれに付随する２つの主軸を有するところの導電性エレメントとを備え、
（ｃ）前記複数の導電性エレメントが、前記グランドプレーンとの組合せにおいて、前記２つの主軸において、ゼロ位相の反射位相に付随する異なった周波数を有する
ところの表面。
【請求項１７】  第１および第２の主表面を有する基板をさらに含み、前記基板がその前記第１の主表面上に前記アレイを支持し、そして、その前記第２の主表面上に前記グランドプレーンを支持しており、そして／または、
前記アレイ内で、前記複数の導電性エレメントのうちの少なくとも選択されたものが、前記基板を通る径路を有する導体によって前記グランドプレーンに接続されており、そして／または、
前記基板がプリント回路基板であり、そして／または、
前記複数の導電性エレメントの各々が、前記無線周波数ビームの波長より短い外側寸法を有しており、そして／または、
前記基板が、前記無線周波数ビームの波長の１／１０より小さい厚さｔを有している、
請求項１６に記載の表面。
【請求項１８】  前記表面が、前記無線周波数ビームの偏波を円形から直線形におよび／または直線形から円形に変えるための偏波変換反射表面であり、上部プレートが、前記２つの主軸のうちの第１の１つで反射位相が−π／２と＋π／２との間に入る周波数の範囲に対応する第１の帯域幅と、前記２つの主軸のうちの第２の１つで反射位相が−π／２と＋π／２との間に入る周波数の範囲に対応する第２の帯域幅とを有し、第１および第２の帯域幅が部分的にオーバーラップしており、そして／または、
前記第１及び第２の帯域幅の一方が前記第１及び第２の帯域幅の他方のより高い周波数を含み、前記一方の帯域幅の下側半分が前記他方の帯域幅の上側半分と一致している、
請求項１６に記載の表面。
【請求項１９】  第１および第２の主表面を有する基板をさらに含み、前記基板がその前記第１の主表面上に導電性エレメントのアレイを支持し、そして、その前記第２の主表面上に前記グランドプレーンを支持しており、そして／または、
前記複数の導電性エレメントのうちの少なくとも選択されたものが、前記基板を通る径路を有する導体によって前記グランドプレーンに接続されている、
請求項１に記載の表面。
【手続補正２】
【補正対象書類名】明細書
【補正対象項目名】００４３
【補正方法】変更
【補正の内容】
【００４３】
特定の実施形態と関連付けて本発明を説明したが、ここで当業者に対して変形それ自体は示唆されるであろう。そのように、添付の特許請求の範囲で要求される場合を除いて、本発明は開示した実施形態に限定されるものではない。
尚、本発明の概念を纏めれば下記の通りである。
概念１
無線周波数ビームの偏波を反射し、かつ変化させるための表面であって、
（ａ）グランドプレーンと、
（ｂ）少なくとも１つのアレイ状に配置され、前記グランドプレーンから離隔された複数の導電性エレメントであって、前記少なくとも１つのアレイが前記無線周波数ビームの波長より短い距離で離隔され、前記少なくとも１つのアレイがそれに付随する２つの主軸を有するところの導電性エレメントとを備え、
（ｃ）前記複数の導電性エレメントが前記２つの主軸において異なるシートキャパシタンスを備えて配列される
ところの表面。
概念２
第１および第２の主表面を有する基板をさらに含み、前記基板がその前記第１の主表面上に前記複数の導電性エレメントのうちの少なくとも選択されたものを支持し、そして、その前記第２の主表面上に前記グランドプレーンを支持する、概念１に記載の表面。
概念３
前記複数の導電性エレメントのうちの少なくとも選択されたものが、前記基板を通る径路を有する導体によって前記グランドプレーンに接続されている、概念２の表面。
概念４
前記複数の導電性エレメントの各々が、前記無線周波数ビームの波長より短い外側寸法を有している、概念３の表面。
概念５
前記基板が、前記無線周波数ビームの波長の１／１０より小さい厚さｔを有している、概念２の表面。
概念６
前記表面が、前記無線周波数ビームの偏波を円形から直線形におよび／または直線形から円形に変えるための偏波変換反射表面であり、
前記複数の導電性エレメントが、前記２つの主軸のうちの第１の１つで反射位相が−π／２と＋π／２との間に入る周波数の範囲に対応する第１の帯域幅と、前記２つの主軸のうちの第２の１つで反射位相が−π／２と＋π／２との間に入る周波数の範囲に対応する第２の帯域幅とを有し、第１および第２の帯域幅が部分的にオーバーラップしている、
概念５の表面。
概念７
前記第１及び第２の帯域幅の一方が前記第１及び第２の帯域幅の他方のより高い周波数を含み、前記一方の帯域幅の下側半分が前記他方の帯域幅の上側半分と一致している、概念６の表面。
概念８
前記基板がプリント回路基板である、概念７の表面。
概念９
第２の基板をさらに含み、最初に述べた基板が前記導電性エレメントの第１のアレイを支持し、第２の基板が前記導電性複数エレメントの第２のアレイを支持し、第１および第２のアレイの導電性エレメントが少なくとも部分的に互いに重なっている、概念２の表面。
概念１０
前記表面が、前記無線周波数ビームの偏波を円形から直線形におよび／または直線形から円形に変えるための偏波変換反射表面であり、上部プレートが、前記２つの主軸のうちの第１の１つで反射位相が−π／２と＋π／２との間に入る周波数の範囲に対応する第１の帯域幅と、前記２つの主軸のうちの第２の１つで反射位相が−π／２と＋π／２との間に入る周波数の範囲に対応する第２の帯域幅とを有し、第１および第２の帯域幅が部分的にオーバーラップしている、概念９の表面。
概念１１
無線周波数の複数の波を反射するための偏波変換表面であって、
（ａ）グランドプレーンと、
（ｂ）前記グランドプレーンから離隔された少なくとも１つのアレイ状に配置された複数の導電性エレメントとを含み、前記導電性エレメントの前記少なくとも１つのアレイがそれらに付随して少なくとも２つの主軸を有し、前記グランドプレーンとの組み合わせで前記導電性エレメントが前記少なくとも２つの主軸のうちの第１の１つで第１の反射位相が−π／２と＋π／２との間に入る周波数の第１の範囲に対応する第１の帯域幅と、前記少なくとも２つの主軸のうちの第２の１つで第２の反射位相が−π／２と＋π／２との間に入る周波数の第２の範囲に対応する第２の帯域幅とを有し、第１および第２の帯域幅が部分的にオーバーラップする偏波変換表面。
概念１２
前記第１及び第２の帯域幅の一方が前記第１及び第２の帯域幅の他方のより高い周波数を含み、前記一方の帯域幅の下側帯域が前記他方の帯域幅の上側帯域とオーバーラップしている、概念１１の偏波変換表面。
概念１３
一方の主表面上に前記グランドプレーンを支持し、他方の主表面上に前記複数のエレメントの少なくとも選択されたものを支持するため基板をさらに含んでいる、概念１１の偏波変換表面。
概念１４
前記複数の導電性エレメントの前記少なくとも選択されたものが前記基板を通る径路有する導体によって前記グランドプレーンに接続されている、概念１３の偏波変換表面。
概念１５
前記複数の導電性エレメントの大半が前記基板の導体によって前記グランドプレーンに接続されている、概念１４の偏波変換表面。
概念１６
前記複数のエレメントの各々が、前記無線周波数の波の波長より短い外側寸法を有している、概念１３の偏波変換表面。
概念１７
前記基板が、前記無線周波数の波の波長の１／１０より小さい厚さｔを有している、概念１３の偏波変換表面。
概念１８
前記複数のエレメントが平面アレイ状に配列される、概念１３の偏波変換表面。
概念１９
無線周波数信号について高インピーダンス表面を調整する方法であって、
実質的に離隔された複数の導電性エレメントを、導電性の背面から離隔され、かつ実質的に平行に配置された少なくとも１つのアレイ状に配列する工程であって、各導電性エレメントのその主軸に沿った大きさが無線周波数信号の波長より短く、かつ各導電性表面の前記背面からの間隔が無線周波数信号の波長より短く、前記アレイが少なくとも２つの主軸を有するところの工程と、そして、
アレイ内のその２つの主軸で隣り合う導電性表面間のキャパシタンスを変化させ、それにより前記２つの主軸で異なる共振周波数を有し、かつ２つの主軸で異なる通過帯域を有するように前記高インピーダンス表面のインピーダンスを調整する工程であって、２つの異なる通過帯域が互いに部分的にオーバーラップするところの工程と
を含む方法。
概念２０
実質的に離隔された前記複数の導電性エレメントが基板上に配列されている、概念１９の方法。
概念２１
前記基板が平面基板である、概念２０の方法。
概念２２
実質的に離隔された前記複数の導電性エレメントが複数の基板上に配列され、前記複数の基板の各々の基板が前記複数の導電性エレメントの異なるアレイを担持している、概念２０の方法。
概念２３
前記複数の基板が複数の平面基板である、概念２２の方法。
概念２４
無線周波数を反射するための表面であって、
（ａ）グランドプレーンと、
（ｂ）前記グランドプレーンから離隔されてアレイ状に配置された複数の導電性エレメントであって、前記少なくとも１つのアレイがそこに付随する２つの主軸を有するところの導電性エレメントとを有し、
（ｃ）前記グランドプレーンとの組み合わせで、前記導電性エレメントが前記２つの主軸でゼロ位相の反射位相に付随する異なった周波数を有する表面。
概念２５
第１および第２の主表面を有する基板をさらに含み、前記基板がその前記第１の主表面上に前記複数エレメントのうちの少なくとも選択されたものを支持し、その第２の主表面上に前記グランドプレーンを支持する、概念２４の表面。
概念２６
前記複数の導電性エレメントのうちの少なくとも選択されたものが、前記基板を通る径路有する導体によって前記グランドプレーンに接続されている、概念２５の表面。
概念２７
前記基板がプリント回路基板絶縁体である、概念２５の表面。
概念２８
前記複数の導電性エレメントの各々が、前記無線周波数ビームの波長より短い外側寸法を有している、概念２５の表面。
概念２９
前記基板が前記無線周波数ビームの波長の１／１０より小さい厚さｔを有している、概念２８の表面。
概念３０
前記表面が前記無線周波数ビームの偏波を円形から直線形におよび／または直線形から円形に変えるための偏波変換反射表面であり、上部プレートが、前記２つの主軸の第１の１つで反射位相が−π／２と＋π／２との間に入る周波数の範囲に対応する第１の帯域幅と、前記２つの主軸の第２の１つで反射位相が−π／２と＋π／２との間に入る周波数の範囲に対応する第２の帯域幅とを有し、第１および第２の帯域幅が部分的にオーバーラップしている、概念２４の表面。
概念３１
前記第１及び第２の帯域幅の一方が前記第１及び第２の帯域幅の他方のより高い周波数を含み、前記一方の帯域幅の下側半分が前記他方の帯域幅の上側半分と一致する、概念３０の表面。
概念３２
無線周波数ビームの偏波を変化させるための方法であって、
（ａ）グランドプレーンと、
（ｂ）前記グランドプレーンと平行な少なくとも１つのアレイ状に配置され、前記グランドプレーンから離隔された複数の導電性エレメントであって、前記少なくとも１つのアレイが前記無線周波数ビームの波長より短い距離で前記グランドプレーンから離隔され、前記少なくとも１つのアレイがそれに付随する２つの主軸を有するところの導電性エレメントとを備え、
（ｃ）前記複数の導電性エレメントが前記２つの主軸において異なるシートキャパシタンスを備えて配列される
ところの表面
を設けるステップと、
無線周波数ビームを前記表面から反射させるステップと
を含む方法。
概念３３
前記表面が、第１および第２の主表面を有する基板をさらに含み、前記基板がその前記第１の主表面上に前記少なくとも１つのアレイを支持し、そして、その前記第２の主表面上に前記グランドプレーンを支持する、概念３２の方法。
概念３４
前記複数の導電性エレメントのうちの少なくとも選択されたものが、前記基板を通る径路を有する導体によって前記グランドプレーンに接続されている、概念３３の方法。
概念３５
前記複数の導電性エレメントの各々が、前記無線周波数ビームの波長より短い外側寸法を有している、概念３４の方法。
概念３６
前記基板が、前記無線周波数ビームの波長の１／１０より小さい厚さｔを有している、概念３３の方法。
概念３７
前記表面が、前記無線周波数ビームの偏波を円形から直線形におよび／または直線形から円形に変えるための偏波変換反射表面であり、上部プレートが、前記２つの主軸のうちの第１の１つで反射位相が−π／２と＋π／２との間に入る周波数の範囲に対応する第１の帯域幅と、前記２つの主軸のうちの第２の１つで反射位相が−π／２と＋π／２との間に入る周波数の範囲に対応する第２の帯域幅とを有し、第１および第２の帯域幅が部分的にオーバーラップしている、概念３６の方法。
概念３８
前記第１及び第２の帯域幅の一方が前記第１及び第２の帯域幅の他方のより高い周波数を含み、前記一方の帯域幅の下側半分が前記他方の帯域幅の上側半分と一致している、概念３７の方法。
概念３９
前記基板がプリント回路基板絶縁体である、概念３８の方法。
概念４０
第２の基板をさらに含み、最初に述べた基板が前記導電性エレメントの第１のアレイを支持し、第２の基板が前記導電性複数エレメントの第２のアレイを支持し、第１および第２のアレイの導電性エレメントが少なくとも部分的に互いに重なっている、概念３３の方法。
概念４１
前記表面が、前記無線周波数ビームの偏波を円形から直線形におよび／または直線形から円形に変えるための偏波変換反射表面であり、上部プレートが、前記２つの主軸のうちの第１の１つで反射位相が−π／２と＋π／２との間に入る周波数の範囲に対応する第１の帯域幅と、前記２つの主軸のうちの第２の１つで反射位相が−π／２と＋π／２との間に入る周波数の範囲に対応する第２の帯域幅とを有し、第１および第２の帯域幅が部分的にオーバーラップする、概念４０の方法。
概念４２
無線周波数ビームを反射し、そして、反射した無線周波数ビームの偏波を変化させるための表面であって、
（ａ）グランドプレーンと、
（ｂ）前記グランドプレーンから隔離され、これと平行に配置される少なくとも１つのアレイ状に配置された複数の導電性エレメントであって、前記少なくとも１つのアレイがそれに付随する２つの主軸を有するところの導電性エレメントとを備え、
（ｃ）前記複数の導電性エレメントが、前記グランドプレーンとの組合せにおいて、前記２つの主軸において、ゼロ位相の反射位相に付随する異なった周波数を有する
ところの表面。
概念４３
第１および第２の主表面を有する基板をさらに含み、前記基板がその前記第１の主表面上に前記アレイを支持し、そして、その前記第２の主表面上に前記グランドプレーンを支持している、概念４２の表面。
概念４４
前記アレイ内で、前記複数の導電性エレメントのうちの少なくとも選択されたものが、前記基板を通る径路を有する導体によって前記グランドプレーンに接続されている、概念４３の表面。
概念４５
前記基板がプリント回路基板である、概念４３の表面。
概念４６
前記複数の導電性エレメントの各々が、前記無線周波数ビームの波長より短い外側寸法を有している、概念４３の表面。
概念４７
前記基板が、前記無線周波数ビームの波長の１／１０より小さい厚さｔを有している、概念４６の表面。
概念４８
前記表面が、前記無線周波数ビームの偏波を円形から直線形におよび／または直線形から円形に変えるための偏波変換反射表面であり、上部プレートが、前記２つの主軸のうちの第１の１つで反射位相が−π／２と＋π／２との間に入る周波数の範囲に対応する第１の帯域幅と、前記２つの主軸のうちの第２の１つで反射位相が−π／２と＋π／２との間に入る周波数の範囲に対応する第２の帯域幅とを有し、第１および第２の帯域幅が部分的にオーバーラップしている、概念４２の表面。
概念４９
前記第１及び第２の帯域幅の一方が前記第１及び第２の帯域幅の他方のより高い周波数を含み、前記一方の帯域幅の下側半分が前記他方の帯域幅の上側半分と一致している、概念４８の表面。
概念５０
第１および第２の主表面を有する基板をさらに含み、前記基板がその前記第１の主表面上に導電性エレメントのアレイを支持し、そして、その前記第２の主表面上に前記グランドプレーンを支持している、概念１の表面。
概念５１
前記複数の導電性エレメントのうちの少なくとも選択されたものが、前記基板を通る径路を有する導体によって前記グランドプレーンに接続されている、概念５０の表面。